(57)【要約】  本発明は、２つの側方チューブ（３、４）と、底部（５）とを具備し、側方チューブ（３、４）及び底部（５）は、それぞれ、独立した空気チャンバ（３１、４１、５１）を有する膨張式のボート（２）を膨張させるために使用される膨張装置（１００）において、少なくとも３つの連通開口（１１、１２、１３）を備えたエンクロージャ（７）を有し、第１の開口（１１）は、膨張式のボート（２）の第１の側方チューブ（３）の空気チャンバ（３１）に空気を供給するための第１の空気案内手段（３２）に接続され、第２の開口（１２）は、膨張式のボート（２）の第２の側方チューブ（４）の空気チャンバ（４１）に空気を供給するための第２の空気案内手段（４２）に接続され、第３の開口（１３）は、膨張ポンプに接続され、開口（１１，１２，１３）の各々が、空気の流れの循環を与える通路によって他の開口（１１、１２、１３）に接続されているシール本体（６）を具備することを特徴とする膨張装置（１００、）である。
2014504989.tif 000002
【特許請求の範囲】
【請求項１】
２つの側方チューブ（３、４）と、底部（５）とを具備し、前記側方チューブ（３、４）及び前記底部（５）は、それぞれ、独立した空気チャンバ（３１、４１、５１）を有する膨張式のボート（２）を膨張させるために使用される膨張装置（１００、２００）において、
少なくとも３つの連通開口（１１、１２、１３）を備えたエンクロージャ（７）を有し、第１の開口（１１）は、前記膨張式のボート（２）の前記第１の側方チューブ（３）の前記空気チャンバ（３１）に空気を供給するための第１の空気案内手段（３２）に接続され、第２の開口（１２）は、前記膨張式のボート（２）の前記第２の側方チューブ（４）の前記空気チャンバ（４１）に空気を供給するための第２の空気案内手段（４２）に接続され、第３の開口（１３）は、膨張ポンプに接続され、前記開口（１１，１２，１３）の各々が、空気の流れの循環を与える通路によって他の開口（１１、１２、１３）に接続されている、シール本体（６）と、
両チューブ（３、４）の両空気案内手段（３２、４２）を接続しているベースプレート（１０１）と、
一方では前記ベースプレート（１０１）に接続可能であり、両チューブ（３、４）の２つの空気案内手段（３２、４２）に連続するように配置された２つの空気ダクト（１１１、１１２）を有し、他方では膨張装置（１００、２００）の前記シール本体（６）に接続可能である取り外し可能なベース（１１０）とを具備することを特徴とする膨張装置（１００、２００）。
【請求項２】
前記取り外し可能なベース（１１０）の両空気ダクト（１１１、１１２）は、それぞれ、空気が膨張装置（１００、２００）の前記ベースプレート（１０１）から前記シール本体（６）への方向に通過することを防止する逆止装置（８）を有する請求項１の膨張装置（１００、２００）。
【請求項３】
前記シール本体（６）は、取り外し可能である請求項１又は２に記載の膨張装置（１００、２００）。
【請求項４】
前記取り外し可能な本体（６）を置き換えることができる前記取り外し可能なベース（１１０）の前記２つの空気ダクト（１１１、１１２）の閉じ手段（１３０）を有する請求項３の膨張装置（１００、２００）。
【請求項５】
前記閉じ手段（１３０）は、
前記第１のダクト（１１１）の第１の閉じ部材（１３４）と、
前記第２のダクト（１１２）の第２の閉じ部材（１３５）と、
操作部（１３２）とを有し、前記操作部（１３２）は、前記操作部（１３２）の相対回転運動を前記取り外し可能なベース（１１０）に対する前記２つの閉じ部材（１３４、１３５）の同時の相対平行移動に変換するねじ−ナット式の運動変換装置を有する請求項４の膨張装置（１００、２００）。
【請求項６】
前記取り外し可能なベース（１１０）は、操作部（１１４）を有し、前記操作部（１１４）は、前記操作部（１１４）の相対回転運動を前記ベースプレート（１０１）に対する前記２つのダクト（１１１、１１２）の同時の相対平行移動に変換するねじ−ナット式の運動変換装置を有する請求項４又は５の膨張装置（１００、２００）。
【請求項７】
請求項１ないし６のいずれか１の膨張装置（１）を具備する膨張式のボート（２）。
【発明の詳細な説明】
【技術分野】
【０００１】
本発明は、海洋レクリエーションの分野に、特に、２つの側方チューブと底部とを有し、２つの側方チューブ及び底部の各々が別個独立した空気チャンバを有する膨張式のボートを膨らませるために使用することができる膨張装置、並びにこのような膨張装置を有する膨張式のボートに関する。
【背景技術】
【０００２】
膨張式のボートは、一般に、ボートを膨張及び収縮させるように設計された同型式のバルブを各々が有する２つの別個独立の側方チューブと、膨張式のボートの底部を膨張及び収縮させるように設計されたバルブ（多くの場合、他の型式である）とを有する。
【０００３】
しかしながら、このような膨張式のボートの膨張は、２つのチューブが過度の圧力の偏差を伴って交互に膨張される場合に、２つのチューブの間に非対称が生じるという欠点を有する。
【０００４】
これらの非対称は、基本的に、２つのチューブの空気チャンバを隔てている内壁の変形に起因し、内壁が、圧力が低い方の空気チャンバに向かって湾曲する傾向にある。
【０００５】
これは、２つのチューブのうちの一方が、他方の膨張前に完全に膨張される場合に頻繁に生じる。
【０００６】
この欠点を回避するために、ユーザは、膨張の段階において、２つの側方チューブの両方のバルブの間で交互に、ポンプを何度もつなぎ替えなければならない。
【０００７】
しかしながら、この２つの側方チューブの別個独立の膨張は、面倒であり、２つのチューブの２つの空気チャンバの間にわずかな非対称が残り、一方が常に他方よりも償えないほどに大きく膨張する可能性がある。
【０００８】
膨張式のボートの分野における現行の規格が、２つの側方チューブのうちの一方が破れた場合でも、膨張式のボートの膨張可能な体積の少なくとも５０％が膨張したままであるように規定しており、このことが、非対称の問題を解決すると考えられる２つの側方チューブをただ１つの空気チャンバによって連絡させた設計を、排除している。
【発明の概要】
【０００９】
本発明は、上述の欠点のすべて又は一部を解決することを目的とする。
【００１０】
この目的のため、本発明は、２つの側方チューブと、底部とを具備し、前記側方チューブ及び前記底部は、それぞれ、独立した空気チャンバを有する膨張式のボートを膨張させるために使用される膨張装置に関する。この装置は、少なくとも３つの連通開口を備えたエンクロージャを有し、第１の開口は、前記膨張式のボートの前記第１の側方チューブの前記空気チャンバに空気を供給するための第１の空気案内手段に接続され、第２の開口は、前記膨張式のボートの前記第２の側方チューブの前記空気チャンバに空気を供給するための第２の空気案内手段に接続され、第３の開口は、膨張ポンプに接続され、前記開口の各々が、空気の流れの循環を与える通路によって他の開口に接続されている、シール本体と、両チューブの両空気案内手段を接続しているベースプレートと、一方では前記ベースプレートに接続可能であり、両チューブの２つの空気案内手段に連続するように配置された２つの空気ダクトを有し、他方では膨張装置の前記シール本体に接続可能である取り外し可能なベースと、を具備することを特徴とする。
【００１１】
この構成は、ポンプのただ１つの接続部から２つのチューブを同時に膨張させることを可能にするとともに、２つのチューブの迅速な収縮の実行を可能にする。
【００１２】
一実施の形態によれば、前記取り外し可能なベースの両空気ダクトは、それぞれ、空気が膨張装置の前記ベースプレートから前記シール本体への方向に通過することを防止する逆止装置を有する。
【００１３】
この構成は、ポンプによって膨張装置を通って吹き込まれた空気を、側方チューブの空気チャンバの内部に保つことを可能にする。
【００１４】
一実施の形態によれば、前記シール本体は、取り外し可能である。
【００１５】
一実施の形態によれば、膨張装置は、前記取り外し可能な本体を置き換えることができる前記取り外し可能なベースの前記２つの空気ダクトの閉じ手段を有する。
【００１６】
この構成は、側方チューブの空気チャンバに空気を供給するように設計された空気案内手段を保護することを可能にする。
【００１７】
一実施の形態によれば、前記閉じ手段は、前記第１のダクトの第１の閉じ部材と、前記第２のダクトの第２の閉じ部材と、操作部とを有し、前記操作部は、前記操作部の相対回転運動を前記取り外し可能なベースに対する前記２つの閉じ部材の同時の相対平行移動に変換するねじ−ナット式の運動変換装置を有する。
【００１８】
この構成は、側方チューブの空気チャンバに空気を供給するように設計された空気案内手段の良好な封止を確実にし、これらの空気案内手段を外部の環境から保護する。
【００１９】
一実施の形態によれば、前記取り外し可能なベースは、操作部を有し、前記操作部は、前記操作部の相対回転運動を前記ベースプレートに対する前記２つのダクトの同時の相対平行移動に変換するねじ−ナット式の運動変換装置を有する。
【００２０】
この構成は、ベースプレートのダクトの内側への取り外し可能なベースのダクトのシールされた連結を与えることを可能にする。
【００２１】
一実施の形態によれば、膨張装置は、前記エンクロージャに配置された、前記第１の開口と前記第２の開口との間の通路の閉じ手段を有し、前記閉じ手段は、前記第１の開口と前記第２の開口との間の通路が開かれる第１のいわゆる開位置と、前記第１の開口と前記第２の開口との間の通路が閉じられる第２のいわゆる閉位置との間で可動である。
【００２２】
この構成は、膨張時の２つのチューブの圧力の平衡を可能にし、いったん膨張が完了すると２つのチューブの空気チャンバの分離を可能にする。
【００２３】
一実施の形態によれば、膨張装置は、開位置と閉位置との間に位置された中間位置にブロック手段を配置するための手段を有する。
【００２４】
この構成によれば、例えば、一方のチューブの圧力低下によって再平衡が必要となった際に、膨張装置を介して２つのチューブを通過する空気の流れを制御することができる。
【００２５】
一実施の形態によれば、前記配置手段は、前記閉じ手段を開位置に戻すための復帰手段を有する。
【００２６】
この構成は、空気チャンバの圧力が釣り合った初期設定の配置を可能にする。
【００２７】
一実施の形態によれば、前記配置手段は、タペット部材及び操作部材を有し、前記操作部材は、前記ブロック手段を閉鎖位置に移動させるために、前記操作部材の相対回転運動を前記タペット部材の相対の平行移動に変換するねじ−ナット式の運動変換装置を有する。
【００２８】
この構成は、ユーザが単純な回転運動を通じて一方の位置から他方の位置に移行することを可能にする。
【００２９】
一実施の形態によれば、装置が、前記配置手段を膨張装置のエンクロージャに取り付けるための固定手段を有する。
【００３０】
この構成は、各々の側方チューブの空気チャンバの内部の圧力が大きくなるときに、前記配置手段を所定の位置に保つことを可能にする。
【００３１】
一実施の形態によれば、前記閉じ手段が、前記第１の開口又は前記第２の開口から前記第３の開口への方向の空気の通過を阻止する逆止装置を有する。
【００３２】
この構成は、ポンプによって膨張装置を通って吹き込まれた空気を、側方チューブの空気チャンバの内部に保つことを可能にする。
【００３３】
一実施の形態によれば、前記エンクロージャが、膨張式のボートの底部の空気チャンバに空気を供給するための第３の空気案内手段に接続される第４の開口を有し、各々の開口が、空気の流れの循環を可能にする通路によって他の開口に接続される。
【００３４】
この構成は、ボートの側方チューブ及び底部を同時に膨張させることを可能にする。
【００３５】
同じ実施の形態によれば、前記閉じ手段の開位置において、前記第１の開口又は前記第２の開口と前記第４の開口との間の通路が開かれ、前記閉じ手段の閉位置において、前記第１の開口又は前記第２の開口と前記第４の開口との間の通路が閉じられる。
【００３６】
この構成は、側方チューブ及び底部の空気チャンバの各々の独立を可能にする。
【００３７】
効果的には、前記第４の開口の断面が、前記第１の開口及び前記第２の開口の断面と比べて小さくされる。
【００３８】
この構成は、通常は空気チャンバの体積が２つの側方チューブよりも小さい底部の膨張の終わりを、側方チューブの空気チャンバの膨張の終わりと一致させ、膨張時のポンプの動作に起因する周期的な過圧から底部を保護することを可能にする。
【００３９】
一実施の形態によれば、前記閉じ手段を、前記エンクロージャから取り外すことが可能である。
【００４０】
この構成は、例えば、シールを喪失した場合に、閉じ手段の容易な交換を可能にし、膨張装置に接続された膨張式のボートの空気チャンバの同時かつ迅速な収縮を可能にする。
【００４１】
さらに、本発明は、上述の通りの膨張装置を有する膨張式のボートに関する。
【００４２】
本発明は、本発明による膨張装置のいくつかの実施の形態を、本発明を限定するものではない例として示している添付図面を参照し、以下の説明を使用して充分に理解される。
【図面の簡単な説明】
【００４３】
【図１】図１は、第１の実施の形態による膨張装置を示す分解斜視図である。
【図２】図２は、収縮位置にある図１の膨張装置を示す断面図である。
【図３】図３は、閉鎖位置にある図１の膨張装置を示す断面図である。
【図４】図４は、膨張位置にある図１の膨張装置を示す断面図である。
【図５】図５は、第２の実施の形態による膨張装置の動作を示す図である。
【図６】図６は、本発明による膨張装置を有する膨張式のボートを示す図である。
【発明を実施するための形態】
【００４４】
図６に示されるように、本発明による膨張装置１００、２００を、右側の側方チューブ３と、左側側方チューブ４と、随意による底部５とを有し、右側の側方チューブ３、左側側方チューブ４、及び随意による底部５の各々が、別個独立した空気チャンバ３１、４１、５１及び空気案内手段３２、４２、５２をそれぞれ有する膨張式のボート２を膨張させるために使用することができる。
【００４５】
２つの側方チューブ３、４の空気チャンバ３１、４１は、同じ体積を有する。
【００４６】
図１ないし図４並びに図５に示した種々の実施の形態に示される通り、本発明による膨張装置１００、２００は、互いに接続された３つの連通開口１１、１２、１３を有するエンクロージャ７を備えたシール本体６を有する。
【００４７】
第１の開口１１が、膨張式のボート２の第１の側方チューブ３の空気チャンバ３１に空気を供給するように設計された空気案内手段３２に接続されるように設計され、第２の開口１２が、膨張式のボート２の第２の側方チューブ４の空気チャンバ４１に空気を供給するように設計された第２の空気案内手段４２に接続されるように設計され、第３の開口１３が、膨張ポンプ（図示されていない）に接続されるように設計されている。
【００４８】
さらに、第１の開口１１及び第２の開口１２は、ポンプによって注入される第３の開口１３からの空気を公平に分配するよう、同じ内径又は断面を有する。
【００４９】
図１ないし図４に示される第１の実施の形態においては、膨張装置１００が、２つの側方チューブ３、４の２つの空気案内手段３２、４２を接続するベースプレート１０１と、取り外し可能なベース１１０とを有し、取り外し可能なベース１１０を、一方ではベースプレート１０１に接続でき、他方では、例えば、図４に示されている膨張位置において膨張装置１００のシール本体６に接続でき、例えば、図３に示されている閉鎖位置又は図２に示されている収縮位置においてシール手段１３０に接続できる。
【００５０】
この実施の形態においては、シール本体６が着脱式であり、閉じ手段１３０でシール本体６を置き換えることができる。
【００５１】
ベースプレート１０１は、ボート２の第１の側方チューブ３の空気案内手段３２に接続できる第１のダクト１０２と、膨張式のボート２の第２の側方チューブ４の空気案内手段４２に接続できる第２のダクト１０３とを有する。
【００５２】
これらのダクト１０２、１０３の各々が、ベースプレート１０１の本体１０６の上部に突き出している。
【００５３】
この本体１０６は、中空円筒の形態をとり、本明細書において後述される機能を有する外周のねじ山１０７を有する。
【００５４】
このねじ山１０７は、本体１０６の外側上端部から、ベース１０１の外側に向かって広がり、膨張装置１００を膨張式のボート２の剛体部分に固定するための機械的なベースの役割を果たす外周の側方の段部１０５まで、周状に延びている。
【００５５】
ダクト１０２、１０３の突出部は、Ｏ−リング１０４をそれぞれ受け入れるように設計された外側の環状の段部１０８を有する。
【００５６】
図３に示される閉鎖位置並びに図４に示される膨張位置において、取り外し可能なベース１１０が、ベースプレート１０１を覆うように設計され、膨張装置１００のユーザによって操作されるように設計された外周部１１４が周囲に配置された中央部１１３を有する。
【００５７】
中央部１１３及び外周部１１４は、どちらもおおむね円筒形である。
【００５８】
中央部１１３は、本明細書において後述される機能を有する外周のねじ山１１９と、横方向に配置されたおおむね円筒形の壁とを有する。
【００５９】
また、中央部１１３は、前記側方の壁の両側に突き出しており、ベースプレート１０１の２つのダクト１０２、１０３の延長に位置するように設計された２つの空気ダクト１１１、１１２を有する。
【００６０】
これら２つの空気ダクト１１１、１１２の各々は、空気の逆止装置８を有し、この逆止装置８が、閉じられた膨張位置において２つの側方チューブ３、４の一方に位置する空気が膨張装置１００のシール本体６にアクセスすることを防止する。
【００６１】
さらに、側方の壁から突き出している２つの空気ダクト１１１、１１２の部位の各々の上端は、内面が斜めにされている。
【００６２】
取り外し可能なベース１１０の中央部１１３は、取り外し可能なベース１１０の外周部１１４に位置する環状の段部１１８のためのストッパ及びガイドとして機能する環状の段部１１７を有する。
【００６３】
従って、機械的な接続が、中央部１１３の周囲での外周部１１４の自由な回転運動を許容する。
【００６４】
さらに、外周部１１４は、ベースプレート１０１のねじ山１０７と協働するように設計されたねじ山１１５を内面に有する。
【００６５】
さらに、中央部１１３は、ベースプレート１０１のダクト１０２、１０３の突出部の各々の段部１０８に配置されたＯ−リング１０４を圧縮するように設計された側方の環状の段部１１６を有する。
【００６６】
従って、取り外し可能なベース１１０がベースプレート１０１に配置されるとき、ダクト１１１、１１２のうちの下方に突き出している部分の各々が、ベースプレート１０１のダクト１０２、１０３の上部に徐々に進入する。
【００６７】
結果として、取り外し可能なベース１１０の中央部１１３の回転が阻止され、取り外し可能なベース１１０が、取り外し可能なベース１１０のねじ山１１５がベースプレート１０１のねじ山１０７に達するまで、平行移動にて下降する。
【００６８】
次いで、反三角形（anti-trigonometrique）方向の外周部１１４の回転運動が、段部１１６がＯ−リング１０４に達し、Ｏ−リング１１４を圧縮して膨張装置１００のベースプレート１０１と取り外し可能なベース１１０との間の封止を保証するまで、取り外し可能なベース１１０の中央部１１３をより良好に平行移動させるねじ−ナットの運動の変換を生じさせる。
【００６９】
封止を向上させるために、ダクト１０２、１０３及びダクト１１１、１１２の直径は、遊びの範囲内で実質的に等しい。
【００７０】
この位置において、取り外し可能なベース１１０は、膨張式のボート２を膨張させるためのシール本体６、あるいは膨張式のボート２の膨張又は収納後の閉鎖位置の閉じ手段１３０のいずれかを受け入れることができる。
【００７１】
この実施の形態において、膨張装置１００のシール本体６は、着脱式であり、おおむね上下を逆さにした「Ｙ」字の形状であり、「Ｙ」字の２つの対象な枝の各々が、２本の平行な軸（それぞれ取り外し可能なベース１１０の一方のダクト１１１、１１２の整列の軸に同軸である）に開口１１及び１２を整列させるための曲がり１２０を有する。
【００７２】
各々の開口１１、１２は、取り外し可能なベース１１０のダクト１１１、１１２への挿入を容易にするための斜面のある外形１２１を有する。
【００７３】
「Ｙ」字の主たる枝が、膨張ポンプへの接続のための開口１３を形成している。
【００７４】
この実施の形態において、閉じ手段１３０は、中央部１３１の周囲を自由に回転する外周部１３２を有する。
【００７５】
外周部１３２が、膨張装置１００のユーザによって
操作されるように設計されている。
【００７６】
中央部１３１及び外周部１３２の両方が、おおむね円筒形の形状を有する。
【００７７】
中央部１３１が、開口１３９によって中央部１３１を通過する実質的に外周部１３２の中央に取り付けられた割り軸（axe fendu）１３７によって、外周部１３２に接続されている。
【００７８】
割り軸１３７は、中央部１３１を貫く厚さに遊びの範囲内で実質的に等しい距離に実質的に位置した外周のラグ１３８を有する。
【００７９】
外周のラグ１３８は、開口１３９への割り軸１３７の挿入の方向に斜めにされている。
【００８０】
従って、この斜めの形状及び割りによって付与される割り軸１３７の弾性が、開口１３９を通る割り軸１３７の挿入を容易にする。
【００８１】
さらに、中央部１３１は、取り外し可能なベース１１０のダクト１１１、１１２の直径よりも大きい直径を有する円柱形の形状を有する２つのストッパ（キャップ）１３４、１３５を有する。
【００８２】
ストッパ１３４及びストッパ１３５は、膨張装置１００の閉鎖位置においてダクト１１１及びダクト１１２のそれぞれを同時に閉じるように設計されており、従って、これら２つのストッパ１３４、１３５は、それぞれ取り外し可能なベース１１０の一方のダクト１１１、１１２の軸に同軸な２つの平行な軸に整列する。
【００８３】
外周部１３２は、取り外し可能なベース１１０の中央部１１３の外周のねじ山１１９と協働するように設計されたねじ溝１３３を、内面に有する。
【００８４】
さらに、これら２つのストッパ１３４、１３５に、中央の開口１３９の両側においてストッパ１３４、１３５の軸に対して長手方向に延びている２つのストッパ１３６が隣接している。
【００８５】
従って、シール手段１３０を取り外し可能なベース１１０に配置する際に、ストッパ１３６が、閉じ手段１３０の外周部１３２のねじ溝１３３が取り外し可能なベース１１０の中央部１１３のねじ山１１９に達するまで、取り外し可能なベース１１０のダクト１１１、１１２の２つの突出部の間を平行移動にて摺動する。
【００８６】
次いで、閉じ手段１３０の中央部１３１が、取り外し可能なベース１１０のダクト１１１、１１２の突出部の縁に当接するストッパ１３６の作用によって、回転に関して固定される。
【００８７】
反三角形方向の外周部１３２の回転運動が、ストッパ１３４、１３５が取り外し可能なベース１１０のダクト１１１、１１２に達するまで、閉じ手段１３０の中央部１３１をより良好に平行移動させるねじ−ナット式の運動の変換を生じさせる。
【００８８】
膨張装置１００を気密にするために、ストッパ１３４、１３５の直径に実質的に等しい直径を有する２枚の円板状の平面シール１４１が、ダクト１１１、１１２に接触するストッパ１３４、１３５の２つの表面の各々に、表面の各々の中心にそれぞれ配置されてそれぞれの平面シール１４１を貫く環状の段部１４０を有する２つの軸によってそれぞれ保持される。
【００８９】
従って、膨張装置１００のこの実施の形態においては、ユーザが、膨張式のボート２を膨張させるために、最初に閉じ手段１３０を取り除き、次いで膨張装置１００の本体６と取り外し可能なベース１１０とを係合させる。
【００９０】
次いで、ユーザは、膨張式のボート２の２つの側方チューブ３、４を同時に膨張させるべく、膨張ポンプを本体６の第３の開口１３に接続する。
【００９１】
側方チューブ３、４が推奨の圧力までいったん膨張されると、ユーザは、本体６を取り外し可能なベース１１０から取り外し、閉じ手段１３０で置き換える。
【００９２】
膨張式のボート２を収縮させるために、ユーザは、取り外し可能なベース１１０を膨張装置１００のベースプレート１０１から分離させる。
【００９３】
図５に示されている第２の実施の形態においては、本発明による膨張装置２００が、依然としてエンクロージャ７を備えたシール本体６を有するが、互いに接続された４つの連通開口１１、１２、１３、１４を有する。
【００９４】
開口１１、１２、１３は、上述した第１の実施の形態における機能と同じ機能を有する。
【００９５】
第４の開口１４が、取り外し可能なベース１１０に形成された第３のダクトに接続され、この第３のダクトは、膨張式のボート２の底部５を構成する空気チャンバ５１の空気案内手段５２が接続されるベースプレート１０１の第３のダクトに接続される。
【００９６】
３つの開口１１、１２、及び１４の各々の軸、並びに取り外し可能なベース１１０及びベースプレート１０１の３つのダクトの各々の軸は、第３の開口１３の軸から測定したとき、他の２つの軸及び他の２つの開口のそれぞれから１２０°の角度によって隔てられており、取り外し可能なベース１１０の中心軸又はベースプレート１０１の中心軸からそれぞれ測定したとき、取り外し可能なベース１１０又はベースプレート１０１の他の２つのダクトから１２０°の角度によって隔てられている。
【００９７】
本発明を、具体的な例示の実施の形態に関連して説明したが、当然ながら、本発明は、決してこれらの実施の形態には限られず、上述の手段のあらゆる技術的な均等物及びその組み合わせを包含する。
【図１】
2014504989.tif 000003
【図２】
2014504989.tif 000004
【図３】
2014504989.tif 000005
【図４】
2014504989.tif 000006
【図５】
2014504989.tif 000007
【図６】
2014504989.tif 000008
【国際調査報告】
2014504989.tif 000009
2014504989.tif 000010
2014504989.tif 000011
2014504989.tif 000012
2014504989.tif 000013
2014504989.tif 000014